(57)【要約】【課題】  スリープモードで、ＳＬＩＣとメインＣＰＵに常に電力を供給して動作可能な状態にしておく必要があるため、スリープモードでの消費電力を十分に削減できなかった。【解決手段】  電話機を制御する電話機制御部を有する画像通信装置であって、メインＣＰＵを含むコントローラと電力供給を制御する電源制御手段とを有し、コントローラは、スリープモードに移行する際、コントローラへの電力供給を停止させるとともに、電話機制御部が少なくとも前記電話機のオフフックを検知できるように電話機制御部に電力を供給し、電話機制御部は、スリープモードで電話機のオフフックが検知されるとコントローラへの電力供給を開始させ、コントローラが起動中に入力されたダイヤル信号を保持し、コントローラの起動が完了すると、保持したダイヤル信号をコントローラに伝送する。【選択図】  図１
2015167300.tif 000002
【特許請求の範囲】
【請求項１】
電話機を制御する電話機制御部を有する画像通信装置であって、
メインＣＰＵを含むコントローラと、
電力供給を制御する電源制御手段と、を有し、
前記コントローラは、スリープモードに移行する際、前記コントローラへの電力供給を停止させるとともに、前記電話機制御部が少なくとも前記電話機のオフフックを検知できるように前記電話機制御部に電力を供給するように前記電源制御手段を制御し、
前記電話機制御部は、前記スリープモードで前記電話機のオフフックが検知されると前記電源制御手段により前記コントローラへの電力供給を開始させ、前記コントローラが起動中に入力されたダイヤル信号を保持し、前記コントローラの起動が完了すると、前記保持したダイヤル信号を前記コントローラに伝送することを特徴とする画像通信装置。
【請求項２】
前記電話機制御部は、
前記電話機制御部の動作を制御するＤＳＰと、
前記電話機を接続する電話接続部とを有し、
前記スリープモードでは、前記ＤＳＰが前記電話接続部を介して前記電話機のオフフックを検出することを特徴とする請求項１に記載の画像通信装置。
【請求項３】
電話機を制御する電話機制御部を有する画像通信装置であって、
メインＣＰＵを含むコントローラと、
電力供給を制御する電源制御手段と、
前記電話機のオフフックを検知する検知手段と、
前記電話機と前記電話機制御部とを接続、或いは前記電話機と前記検知手段とを接続するように切り替える切替手段とを有し、
前記コントローラは、スリープモードに移行する際、前記電話機がテンキー無しの電話機の場合は前記切替手段により前記電話機と前記検知手段とを接続し、前記電話機がテンキー付きの電話機の場合は前記切替手段により前記電話機と前記電話機制御部とを接続するように制御し、
前記スリープモードでは、前記コントローラと前記電話機制御部への電力供給を停止させるように前記電源制御手段を制御することを特徴とする画像通信装置。
【請求項４】
前記検知手段は、通常のモード及び前記スリープモードで常に電力が供給されていることを特徴とする請求項３に記載の画像通信装置。
【請求項５】
前記電話機が、テンキー無しの電話機であるか、或いはテンキー付きの電話機であるかを指定する指定手段を更に有することを特徴とする請求項３又は４に記載の画像通信装置。
【請求項６】
前記検知手段が前記電話機のオフフックを検知したとき、当該電話機がテンキー無しの電話機であるか、或いはテンキー付きの電話機であるかを判別する判別手段を更に有することを特徴とする請求項３又は４に記載の画像通信装置。
【請求項７】
前記コントローラは更に、前記スリープモードに移行する際、前記電話機がテンキー無しの電話機かどうか不明の場合、或いは電話機が接続されていない場合は前記切替手段により前記電話機と前記検知手段とを接続するように制御することを特徴とする請求項３に記載の画像通信装置。
【請求項８】
前記電話機がテンキー付きの電話機の場合、前記電話機制御部は、前記スリープモードで前記電話機のオフフックが検知されると前記電源制御手段により前記コントローラへの電力供給を開始させ、前記コントローラが起動中に入力されたダイヤル信号を保持し、前記コントローラの起動が完了すると、前記保持したダイヤル信号を前記コントローラに伝送することを特徴とする請求項３乃至７のいずれか１項に記載の画像通信装置。
【請求項９】
前記ダイヤル信号の桁数が所定の値より少ないかどうかを判定する判定手段と、
前記判定手段が前記所定の値より少ないと判定すると警告する警告手段とを更に有することを特徴とする請求項１又は８に記載の画像通信装置。
【請求項１０】
メインＣＰＵを含むコントローラと、電話機を制御する電話機制御部を有する画像通信装置を制御する制御方法であって、
スリープモードに移行する際、前記コントローラへの電力供給を停止させるとともに、前記電話機制御部が少なくとも前記電話機のオフフックを検知できるように前記電話機制御部に電力を供給し、
前記スリープモードで前記電話機のオフフックが検知されると前記コントローラへの電力供給を開始させ、
前記コントローラが起動中に入力されたダイヤル信号を前記電話機制御部に保持し、前記コントローラの起動が完了すると、前記電話機制御部に保持したダイヤル信号を前記コントローラに伝送することを特徴とする制御方法。
【請求項１１】
メインＣＰＵを含むコントローラと、前記電話機のオフフックを検知する検知回路と、電話機を制御する電話機制御部とを有する画像通信装置を制御する制御方法であって、
前記電話機のオフフックを検知する検知工程と、
前記電話機と前記電話機制御部とを接続、或いは前記電話機と前記検知手段とを接続するように切り替える切替工程とを有し、
スリープモードに移行する際、前記電話機がテンキー無しの電話機の場合は前記切替工程で前記電話機と前記検知回路とを接続し、前記電話機がテンキー付きの電話機の場合は前記切替工程で前記電話機と前記電話機制御部とを接続し、
前記スリープモードでは、前記コントローラと前記電話機制御部への電力供給を停止させることを特徴とする制御方法。
【請求項１２】
コンピュータを、請求項１乃至９のいずれか１項に記載の画像通信装置として機能させるためのプログラム。
【発明の詳細な説明】
【技術分野】
【０００１】
本発明は、画像通信装置、その制御方法、及びプログラムに関する。
【背景技術】
【０００２】
近年、ＩＰ（Internet Protocol）電話による音声通信やＩＴＵ−Ｔ勧告のＴ．３８に準じた画像通信を行う通信経路としてＩＰ網を利用する方法が確立されてきている。Ｔ．３８では、Ｇ３ＦＡＸ（Ｔ．３０）の信号をＩＰ網上でＩＰメッセージに変換してリアルタイムで伝送する。また、ＭＯＤＥＭ（モデム）信号音を音声とみなしてＰＣＭデータ化し、それを音声パケットとしてＩＰ網上で通信を行う見做し音声通信も行われている。Ｔ．３８プロトコルによるＦＡＸ通信は、音声帯域を必要とする見做し音声通信に比べて帯域幅を小さくでき、またデータをモデム信号に変調する必要がないので高速通信が行えるという利点がある。
【０００３】
一方、見做し音声通信は、ＩＰ網に配置されたＶｏＩＰ ＧＷ（Voice over IP Gateway）経由で接続された従来のアナログ電話網上のＧ３ＦＡＸ装置とも通信できる利点がある。またＩＰ網上では単独或いは複数のセッションを同時に生成し、音声と画像通信といった複数の通信を並行して行うことができる。更に、構内ＩＰ網を通信経路として利用することができ、日本の電話会社である東日本電信電話株式会社が提供しているＮＧＮ（Next Generation Network）を通信経路として利用することもできる。ＮＧＮは、ネットワーク自体に帯域保証機能、セキュリティ機能を備え、電話サービス、映像通信サービス、データ通信サービス等を統合的に実現するＩＰ網である。また、これらＩＰ網上或いはＮＧＮ上の通信機器の間では仮想的なセッションが確立され、セッションが成立している間はサービスを提供するＳＩＰ（Session Initiation Protocol）が普及している。このＳＩＰによりセッションを確立した通信機器では、ＩＰやＶｏＩＰ（Voice Over IP）等のプロトコルを用いて通話或いは画像通信を行い、又これらを同時に行うなどの様々な形態のサービスが提供されている。
【０００４】
これら画像通信装置に関して様々な形態が提供されている。例えばＩＰ電話機能を有し、ＰＳＴＮ（公衆回線網）に対応したアナログ電話機を外付け電話機として接続できる画像通信装置がある。ＰＳＴＮに対応した電話機を制御するには、電話機を制御するためのＳＬＩＣ（Subscriber Line Interface Circuit）が必要になる。このＳＬＩＣは、通話音声信号のＤ／Ａ変換、Ａ／Ｄ変換を行う機能や、電話機の着信ベルを鳴動させる呼出信号の生成を行う機能、電話機のオフフック電圧を生成する機能、オフフックを検知する機能等を備えている。またＳＬＩＣは、オフフックを検知した後に各種トーン信号を生成し、電話機が送出するＤＴＭＦ（Dual Tone Multi Frequency）或いはダイヤルパルスを検知する。このようにＳＬＩＣは回線をエミュレートする機能を提供できるため、ＳＬＩＣによりＰＳＴＮを経由することなくアナログ電話機をＩＰ網に接続することができる。
【０００５】
音声着信の場合はＳＩＰによるセッション確立要求（ＩＮＶＩＴＥ信号）のメディア種別はaudio（音声）になっており、Ｔ．３８の場合はメディア種別がapplicationまたはimageであるため判別が可能になっている。これを利用し、発信側からメディア種別がaudioのＩＮＶＩＴＥ信号を受信すると、ＳＬＩＣが音声通信であると判別して呼出し信号を生成してアナログ電話機のリンガーを鳴動させることができる。ここで着呼側のユーザがアナログ電話機で応答すると、ＳＬＩＣはアナログ電話機のオフフックを検出して呼出し信号を停止し、発信者側に成功応答（２００ ＯＫ）を送信する。これにより発信側はＡＣＫを返信してaudioセッションが確立されて通話状態となる。
【０００６】
このように、ＰＳＴＮに対応した電話機とＩＰ網との間には、電話機を制御するためのＳＬＩＣが必要となる。一般的に電話機はいつでも使用可能な状態にあることが望ましいため、常に電話制御を行うＳＬＩＣには通電する必要があった。そしてＳＬＩＣを制御するコントローラ回路のメインＣＰＵにも常に通電して動作可能状態にしておく必要があった。
【０００７】
一方、画像通信装置では、消費電力を少なくする省エネモードがあり、省エネモードの状態をスリープとも呼ぶ。この省エネモードのときに消費電流を少なくして規格を満足させるためには、ＳＬＩＣやメインＣＰＵ等の電話制御を行う部分への電力供給を遮断する必要があるが、そうすると省エネモードで電話機が使用できなくなるため、その対処が求められている。
【０００８】
特許文献１は、ファクシミリ装置が低消費電力のスタンバイに入った後、オフフック検知回路によって電話機のオフフックを検知すると、低消費電力のスタンバイから立ち上がることを記載している。また特許文献２は、ハンドセット、子電話のどちらを使用するかを設定すると、使用できない機能の表示、操作を制限することを記載している。ここでハンドセットは、発呼用のテンキーのような相手先を指示するための操作機能がない電話機であり、子電話は発呼用のテンキーのような相手先を指示できる操作機能がある電話機を想定している。
【先行技術文献】
【特許文献】
【０００９】
【特許文献１】特開平１０−１６４２９２号公報
【特許文献２】特開２００６−２９５７９１号公報
【発明の概要】
【発明が解決しようとする課題】
【００１０】
ＩＰ網を経由して通話を行う画像通信装置において、ＰＳＴＮに接続して使用する電話機を外付け電話機として接続できる画像通信装置がある。ＰＳＴＮ用の電話機を接続するためには、電話機の制御用に電話機制御部（ＳＬＩＣ）が必要である。この電話機制御部として、音声データの変換や呼出信号制御などの機能を備えた前述のＳＬＩＣを用いている。しかし電話機は、着呼に対して常に動作することが要求されるため、ＳＬＩＣには常に電力を供給して動作可能な状態にしておく必要がある。またＳＬＩＣは、コントローラ回路のメインＣＰＵによって制御されるため、メインＣＰＵにも常に電力を供給して動作可能な状態にしておく必要がある。このため、スリープモードでの消費電力を十分に削減できないという問題があった。
【００１１】
本発明の目的は、上記従来技術の問題点を解決することにある。
【００１２】
本発明の特徴は、スリープモードでの消費電力を、より削減させる技術を提供することにある。
【課題を解決するための手段】
【００１３】
上記目的を達成するために本発明の一態様に係る画像通信装置は以下のような構成を備える。即ち、
電話機を制御する電話機制御部を有する画像通信装置であって、
メインＣＰＵを含むコントローラと、
電力供給を制御する電源制御手段と、を有し、
前記コントローラは、スリープモードに移行する際、前記コントローラへの電力供給を停止させるとともに、前記電話機制御部が少なくとも前記電話機のオフフックを検知できるように前記電話機制御部に電力を供給するように前記電源制御手段を制御し、
前記電話機制御部は、前記スリープモードで前記電話機のオフフックが検知されると前記電源制御手段により前記コントローラへの電力供給を開始させ、前記コントローラが起動中に入力されたダイヤル信号を保持し、前記コントローラの起動が完了すると、前記保持したダイヤル信号を前記コントローラに伝送することを特徴とする。
【発明の効果】
【００１４】
本発明によれば、メインＣＰＵへの電力供給を停止させてスリープ状態に移行させることができる。
【００１５】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１６】
添付図面は明細書に含まれ、その一部を構成し、本発明の実施の形態を示し、その記述と共に本発明の原理を説明するために用いられる。
【図１】本発明の実施形態１に係る画像通信装置のハードウェア構成を示すブロック図。
【図２】本実施形態１に係る画像通信装置のコントローラの構成を説明するブロック図。
【図３】実施形態１に係る画像通信装置のＳＬＩＣの構成を説明するブロック図。
【図４】本発明の実施形態１に係る画像通信装置によるスリープモードへの移行、及びスリープモードから起動するときの処理を説明するフローチャート。
【図５】本発明の実施形態１に係る画像通信装置によるスリープモードへの移行、及びスリープモードから起動するときの処理を説明するフローチャート。
【図６】、
【図７】実施形態２に係る画像通信装置のハードウェア構成を示すブロック図。
【図８】実施形態２に係る画像通信装置における電話機関連の初期設定を説明するフローチャート。
【図９】、
【図１０】実施形態２に係る画像通信装置において、スリープモードに移行したときのオフフック検出処理をいずれで行うかを選択する初期設定処理を説明するフローチャート。
【図１１】本発明の実施形態２に係る画像通信装置によるスリープモードへの移行、及びスリープモードから起動するときの処理を説明するフローチャート。
【発明を実施するための形態】
【００１７】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１８】
［実施形態１］
図１は、本発明の実施形態１に係る画像通信装置１００のハードウェア構成を示すブロック図である。
【００１９】
コントローラ１０２は、画像通信装置１００の全体を制御する制御部である。画像通信装置１００の主な機能は、原稿を読み取って得られた画像データ、或いはＩＰ網１１１を介して受信した画像データに基づいて用紙に印刷し、またこれら画像データを保存したり、ネットワークや回線を経由して他の機器へ転送するものである。画像通信装置１００はネットワーク１１０と常時接続して、他の画像通信装置やＰＣやサーバとの間でデータのやり取りを行う。
【００２０】
ＩＰ網１１１は、インターネット、イントラネット、ＮＧＮを相互に接続するゲートウェイや名前解決を行うＤＮＳサーバやＳＩＰサーバを含む網を想定している。ＤＮＳはDomain Name Server、ＳＩＰはSession Initiation Protocolの略である。画像通信装置１００は、ネットワーク１１０を通じてイントラネット、又はインターネットやＮＧＮのようなＩＰ網に適切なハブやルータやＨＧＷ（ホームゲートウェイ）を経由して接続されている。通常、ネットワーク１１０は10base-T，100base-TX，1000base-T等のＬＡＮ（Local Area Network）回線が使用される。
【００２１】
ＳＬＩＣ（電話機制御部）１０８は、ＰＳＴＮ（公衆回線）に接続して使用可能な電話機１１２をＩＰ網に接続するために、電話機１１２とのインターフェースの役目をする。ＳＬＩＣ１０８の主な機能は、呼出信号の制御、直流印加、オフフック検知、電話機１１２の送話信号のＡ／Ｄ変換を行いＰＣＭへ符号化する機能、ＰＣＭを復号しＤ／Ａ変換を行い電話機１１２の受話信号を生成する機能である。コントローラ１０２からＳＬＩＣ１０８を制御し、コントローラ１０２とＳＬＩＣ１０８との間でＰＣＭの音声データをやりとりするため、コントローラ１０２とＳＬＩＣ１０８の間はシリアルインターフェース１０３，１０６で接続されている。一方、コントローラ１０２はモデム１０９を制御し、コントローラ１０２とモデム１０９の間でＰＣＭの音声データをやりとりするため、コントローラ１０２とモデム１０９の間はシリアルインターフェース１０４，１０７で接続されている。シリアルインターフェース１０３，１０４，１０６，１０７としては、ＵＡＲＴやＳＰＩやＰＣＭインターフェース等の一般的なインターフェースが使用できる。ブリッジ回路１０５は、コントローラ１０２とＳＬＩＣ１０８間及び、コントローラ１０２とモデム１０９間のインターフェース変換、シリアルデータの送受信のバッファリング及びタイミングを生成する調整回路である。またコントローラ１０２とＳＬＩＣ１０８又はモデム１０９がデータを伝送する際に、例えば片方がＵＡＲＴを持ち、片方がＳＰＩを備えてインターフェース形式が異なるため直接接続できない場合、ブリッジ回路１０５を介して変換している。見做し音声のＶｏＩＰパケットのＰＣＭを利用してモデム１０９で変調／復調を行い、Ｇ３ＦＡＸ通信することが可能である。
【００２２】
非常夜電源１１４は、通常動作時に画像通信装置１００が動作するための電力を画像通信装置１００の各部へ供給しており、スリープモードでは、画像通信装置１００の一部或いは全部への電力供給がオフされる。一方、常夜電源１１３は、スリープモードでも、画像通信装置１００で動作する必要がある部分を動作させるために、その部分に常時電力を供給する電源で、高効率電源で構成されている。尚、ここでは省エネモードをスリープモードと呼ぶ。
【００２３】
ＳＬＩＣ１０８において、電源ライン１２１を介して非常夜電源１１４から供給される電圧は、内部のＤＣ／ＤＣコンバータ制御部３０７（図３）により制御されるＤＣ／ＤＣコンバータ３１５（図３）に供給されている。ＤＣ／ＤＣコンバータ３１５は、この電圧を、電話機１１２の呼出し信号や電話機１１２の回線ラインに供給する直流電圧に変換しているため消費電力が大きい。ＳＬＩＣ１０８の構成は図３を参照して詳しく後述する。
【００２４】
ネットワークＩ／Ｆ制御部１２３は、ネットワーク１１０とのデータの送受信を制御し、ＴＣＰやＵＤＰやＲＴＰなどのＩＰパケットの解析や生成を行う。ＩＰパケットの送受信により送信或いは受信するデータは、一旦、コントローラ１０２のＲＡＭ２０３やＨＤＤ２１７（図２）に保存された後、プロトコル規定に従って処理される。また画像通信装置１００はネットワークＩ／Ｆ制御部１２３及びＩＰ網１１１を経由して、ＳＩＰセッションを利用して通信相手との呼接続及びデータ通信と音声通信を行うことができる。１２２はＳＬＩＣ１０８と電話機１１２とを接続するインターフェースである。
【００２５】
図２は、本実施形態１に係る画像通信装置１００のコントローラ１０２の構成を説明するブロック図である。
【００２６】
バス２１８は、メインＣＰＵ（以下、ＣＰＵ）２０１からの制御信号や各ユニット間のデータ信号が送受信されるシステムバスである。バス２１８には、スキャナ制御部２０５、ＣＰＵ２０１，ＲＯＭ２０２，ＲＡＭ２０３，ＨＤＤ２１７、プリンタ制御部２１５、ＵＩ制御部２１１、画像処理部２０６、Ｐ／Ｓ変換部２０７、ＩＯポート制御部２１０が接続されている。Ｐ／Ｓ変換部２０７は、データのパラレル・シリアル変換を行うもので、ブリッジ回路１０５に接続される。ＩＯポート制御部２１０は、画像通信装置１００内のユニットと接続され、例えば電源制御回路１１６により非常夜電源１１４のオフ／オンを制御するために使用される。
【００２７】
ＣＰＵ２０１は、画像通信装置１００の制御プログラムをＲＯＭ２０２或いはＨＤＤ２１７から読み込み、ＲＡＭ２０３に展開して実行し装置全体の制御を行う。ＲＯＭ２０２は、装置のブートプログラムや固定パラメータ等を格納しており、ここではフラッシュメモリを用いている。但し、ＲＯＭ２０２はフラッシュメモリに限定されるものでなく、他の種類のメモリを用いても良い。ＲＡＭ２０３は、ＣＰＵ２０１が画像通信装置１００を制御する際に、一時的な作業データ、画像データ、印刷データ等の格納にも使用される。ＨＤＤ２１７はハードディスクドライブで、画像データ、印刷データ、宛先登録情報の格納など、様々なデータの格納に使用される。またＲＡＭ２０３，ＨＤＤ２１７は、ＣＰＵ２０１が画像データの処理や符号化／復号や、解像度変換の作業を行う作業領域としても使用される。画像処理部２０６は、画像データを高画質化する画像処理や、解像度変換や符号化／復号化をハードウェアで行う。またＲＡＭ２０３，ＨＤＤ２１７は、ＣＰＵ２０１が伝送するデータの符号化及び復号やＩＰパケットを処理する作業を行う作業領域としても使用される。
【００２８】
ＵＩ制御部２１１は、ＵＩ１２６とＵＩ・Ｉ／Ｆ１２０と接続してＵＩ１２６を制御する。ＵＩ１２６では各種情報を表示し、またユーザからの指示を入力する。ＵＩ１２６には、ダイヤル番号の入力や数字入力で使用するテンキー、スタートキー、ストップキー、その他操作キー、ＬＥＤ、タッチパネル内蔵の表示部などを有し、ユーザからの操作指示とユーザへの情報提供を行う。プリンタ制御部２１５は、プリンタ１２５とプリンタＩ／Ｆ１１９に接続されてプリンタ１２５を制御する。スキャナ制御部２０５は、スキャナ１２４とスキャナＩ／Ｆ１１８に接続されてスキャナ１２４を制御する。ＩＯポート制御部２１０は入出力部（不図示）を接続し、外部から入力されたデータをバス２１８を介してＣＰＵ２０１へ出力したり、またＣＰＵ２０１からのデータを受け取って外部に出力する。
【００２９】
ＣＰＵ２０１は、ＩＰ網１１１からネットワークＩ／Ｆ制御部１２３を介してＶｏＩＰパケットを受信し、それを解析して取得したＰＣＭデータをＳＬＩＣ１０８やモデム１０９に伝送する。またＣＰＵ２０１は、ＳＬＩＣ１０８やモデム１０９から伝送されたＰＣＭデータからＶｏＩＰパケットを生成し、ネットワークＩ／Ｆ制御部１２３を介してＩＰ網１１１へ伝送する。このＶｏＩＰパケットのＰＣＭデータを利用してモデム１０９で変調／復調を行いＦＡＸ通信することを見做し音声による通信と呼ぶ。モデム１０９は、ＩＴＵ−Ｔ勧告に基づいて音声信号を変調、及び復調する機能を有し、ＦＡＸ通信のデータ伝送や手順制御に使用される。画像通信装置１００がＩＰ網１１１を経由してＳＩＰセッションを利用して相手電話機１２７のＩＰ電話装置と呼接続を行い、ＶｏＩＰパケットを伝送することでＳＬＩＣ１０８に接続される電話機１１２と相手電話機１２７との間で音声通話を行う。
【００３０】
図３は、実施形態１に係る画像通信装置１００のＳＬＩＣ１０８の構成を説明するブロック図である。
【００３１】
バス３１０は、ＤＳＰ（Digital SIgnal Processor）３０２からの制御信号や各ユニット間のデータ信号が送受信されるシステムバスである。バス３１０には、ＩＯポート制御部３０１，ＤＳＰ３０２，ＣＬＫ制御部３０３，ＲＡＭ３０４，ＲＯＭ３０５，Ｐ／Ｓ変換部３０６、ＤＣ／ＤＣコンバータ制御部３０７、電話接続部３０８が接続され、これらの間でデータ伝送を行うことができる。またバス３１０には、Ａ／Ｄ及びＤ／Ａ及び音声ＣＯＤＥＣ３０９が接続されている。
【００３２】
電話機１１２にはマイクとスピーカが内蔵され、相手の音声データがスピーカから出力され、ユーザの音声がマイクから入力されてユーザが通話を行う。電話機１１２は、電話接続用インターフェース１２２を介してＳＬＩＣ１０８の電話接続部３０８と接続される。ＤＳＰ３０２は、ＤＣ／ＤＣコンバータ制御部３０７を制御している。ＤＣ／ＤＣコンバータ制御部３０７はＤＣ／ＤＣコンバータ３１５を制御して、呼び出し信号やオフフック検出用の直流電圧を生成する。ＳＬＩＣ１０８の電話接続部３０８は、ＤＣ／ＤＣコンバータ３１５で生成した呼び出し信号やオフフック検出電圧を電話接続用インターフェース１２２を介して電話機１１２に供給する。また電話機１１２が直流捕捉した後、通話の音声アナログ信号を電話接続用インターフェース１２２を介して電話機１１２に入出力する。
【００３３】
ＳＬＩＣ１０８は、アナログデジタル変換回路（Ａ／Ｄ）及びデジタルアナログ変換回路（Ｄ／Ａ）及び音声符号化復号化回路（音声ＣＯＤＥＣ）３０９を統合して備えており、Ａ／Ｄ変換、Ｄ／Ａ変換、音声符号化／復号処理を行うことができる。ＤＳＰ３０２は、制御プログラムをＲＯＭ３０５から読み出しＲＡＭ３０４に展開して実行し、ＳＬＩＣ１０８の動作を制御する。ＳＬＩＣ１０８は、電話機１１２から入力されたアナログ音声信号をＡ／Ｄ変換し、ＤＳＰ３０２で信号処理し、音声ＣＯＤＥＣでＧ．７１１形式のＰＣＭやその他の符号化されたデータへ変換し、Ｐ／Ｓ変換部３０６経由でコントローラ１０２へ送信する。その後コントローラ１０２でＶｏＩＰパケットへ変換する処理を行ってＩＰ網１１１へ送信する。またＤＳＰ３０２は演算機能を有し、デジタル信号の演算処理に適している。またコントローラ１０２は、ＩＰ網１１１から受信したＶｏＩＰパケットを処理し、Ｇ．７１１形式のＰＣＭやその他の符号化されたデータへ変換してＳＬＩＣ１０８へ送信する。ＳＬＩＣ１０８は、Ｐ／Ｓ変換部３０６経由で受信したＧ．７１１形式のＰＣＭやその他の符号化されたデータを音声ＣＯＤＥＣで復号し、ＤＳＰ３０２で信号処理し、Ｄ／Ａ変換して電話機１１２へ伝送する。これにより電話機１１２のスピーカから音声が出力される。
【００３４】
ＳＬＩＣ１０８は、電話機１１２のオフフック検知や直流印加や呼び出し信号の送出といったＰＳＴＮ用の子電話の制御を行う。オフフック検知や直流印加や呼び出し信号を生成するために必要なＤＣ／ＤＣコンバータ３１５を含めてＳＬＩＣ１０８と呼んでいる。本実施形態では、ＤＣ／ＤＣコンバータ３１５をＳＬＩＣ１０８と一体化しているが、ＤＣ／ＤＣコンバータ３１５を外付け回路として構成しても良い。またＳＬＩＣ１０８のＤＳＰ３０２でＤＴＭＦ検出やトーン検出を行って、発呼用の宛先指定信号を検出することもできる。またＳＬＩＣ１０８の電話接続部３０８でダイヤルパルスを検出して発呼用の宛先指定信号を検出することもできる。ダイヤルパルス検出では電話機１１２の端子間の電圧レベルの変化を検知して判定する。またＳＬＩＣ１０８は、各種トーン信号を生成する機能があり、呼び出し信号を送出していない時にオフフックを検知すると、ダイヤルトーンを電話機１１２へ送出する。ＳＬＩＣ１０８は、電話機１１２が送出するＤＴＭＦ或いはダイヤルパルスを検知し、発呼したい相手のダイヤル番号を検知することができ、発呼したい相手のダイヤル番号をＩＰ網１１１にあるＳＩＰサーバへ伝達して呼接続を行う。ＳＬＩＣ１０８は電話機１１２を接続して制御及びデータ変換し、それとともにＩＰ網１１１経由で相手側電話機１２７と呼接続して通話することができる。またＤＰＳ３０２は電話機１１２のオフフックを検知すると、ＩＯポート制御部３０１経由で電源制御回路１１６へ起動信号を送出することができる。
【００３５】
図４及び図５は、本発明の実施形態１に係る画像通信装置１００によるスリープモードへの移行、及びスリープモードから起動するときの処理を説明するフローチャートである。このフローチャートで示す処理は、ＣＰＵ２０１がＲＯＭ２０２或いはＨＤＤ２１７からプログラムを読み出してＲＡＭ２０３に展開し、そのプログラムを実行することにより達成される。尚、このフローチャートの例えばＳ４０５〜Ｓ４１４は、ＤＳＰ３０２により実行される。
【００３６】
最初、画像通信装置１００は、電源投入後の待機状態にあり、ユーザが任意の操作をできる状態にある。Ｓ４０１でＣＰＵ２０１は、スリープモードに移行する条件が整ったかどうかを判定する。ここでは、例えばユーザからのコピー指示や、ネットワークＩ／Ｆ制御部１２３からのプリント指示、通話着信、Ｔ．３８のＦＡＸ着信が一定時間ない場合にスリープモードに移行する条件を満足したと判定してＳ４０２に進む。尚、一定時間の計時は、ＵＩ制御部２１１のＲＴＣ（Real Time Clock）（不図示）やＣＰＵ２０１等の動作クロックを利用して行う。
【００３７】
Ｓ４０２でＣＰＵ２０１は、ＳＬＩＣ１０８のＤＳＰ３０２が単独で動作するモードへ移行させる。ここでＣＰＵ２０１は、ＳＬＩＣ１０８が単独で動作できるように、ＳＬＩＣ１０８が利用するクロックを、独立した発振器から供給するように切り替える。或いはＳＬＩＣ１０８へ入力されているクロック周波数を記憶し、内蔵発振器で、そのクロックを生成するようにしても良い。これによりＤＳＰ３０２は、ＣＬＫ制御部３０３を制御して動作することができる。このときＤＳＰ３０２は、ＳＬＩＣ１０８が単独で動作するモードに移行したことを示すデータを保持するレジスタを、ＤＳＰ３０２内部か、或いはＳＬＩＣ１０８のＲＡＭ３０４に準備する。例えばレジスタの値が「１」であればＤＳＰ３０２が単独で動作するモード、「０」であればＣＰＵ２０１からの制御に従って動作するモードとする。ＳＬＩＣ１０８が単独で動作するモードでは動作が限定され、通話用の音声信号を処理しないので、通常より低いクロックで動作させるなどして、通常より低い消費電力で動作させることができる。
【００３８】
次にＳ４０３へ進みＣＰＵ２０１は、ＤＳＰ３０２により、オフフック電圧の生成、オフフック検知を行わせる。通常、オフフック検知用の電圧は２４Ｖ〜４８Ｖ程度である。次にＳ４０４に進みＣＰＵ２０１は、スリープモードに移行するため、スリープ復帰の復帰要因を監視する回路以外の動作を停止させる処理を行う。その後、スリープ復帰の復帰要因を監視する回路以外への電力供給を停止するように電源制御回路１１６を制御する。これにより電源制御回路１１６より非常夜電源１１４が制御され、非常夜電源１１４の一部がオフされる。電源制御回路１１６は、非常夜電源１１４の電源系統の内、必要な部分だけに電力を供給し、不要な部分への電力供給をオフできる。ここでは、スリープモードで電力供給を停止させたい回路、例えばＣＰＵ２０１を含むコントローラ１０２、モデム１０９、ブリッジ回路１０５、スキャナ１２４、プリンタ１２５、ＵＩ１２６の表示部のバックライト、等への電力供給を停止する。一方、スリープからの復帰要因を監視する回路、例えばＳＬＩＣ１０８、ＤＣ／ＤＣコンバータ３１５、ＵＩ制御部２１１の一部、ネットワークＩ／Ｆ制御部１２３への電力供給を継続するよう非常夜電源１１４及び常夜電源１１３を制御する。例えば非常夜電源として１２Ｖが複数系統あり、ＣＰＵ２０１を含むコントローラ１０２、モデム１０９、ブリッジ回路１０５、スキャナ１２４、プリンタ１２５、ＵＩ１２６の表示部のバックライト、ＳＬＩＣ１０８とＤＣ／ＤＣコンバータ３１５に分けている。この場合、一部の非常夜電源の１２Ｖをオフ、オンすることで不要な部分への電力供給を停止させることができる。非常夜電源の１２Ｖの１系統がＤＣ／ＤＣコンバータ３１５へ供給されている。非常夜電源の１２Ｖは、各ユニット内の図示してないＤＣ／ＤＣコンバータやレギュレータで５Ｖ，３.３Ｖ，１.８Ｖ等の各機能が動作するために必要な電圧に変換されて使用される。こうしてスリープモードに移行するとＳ４０５に進む。
【００３９】
スリープモードでは、Ｓ４０５でスリープモードからの復帰要因を監視する回路が監視しており、スリープモードからの復帰要因を検知するとＳ４０５からＳ４０６に進み、そうでなければＳ４０５に戻る。例えばＤＳＰ３０２は、電話機１１２のオフフックを監視している。またネットワークＩ／Ｆ制御部１２３で印刷ジョブの受信、Ｔ．３８のＦＡＸ受信、見做し音声のＧ３ＦＡＸの受信、ＩＰ電話の着信や、ＵＩ１２６でスリープから復帰するキー操作等のスリープモードからの復帰要因を監視している。
【００４０】
スリープモード中にユーザが電話機１１２をオフフックすると、電話機１１２が直流を捕捉する。これにより閾値以上の直流電流が流れたか、或いはオフフック検知用のオフフック電圧が閾値以下に低下したことをＤＳＰ３０２が検知すると、電話機１１２がオフフックされたと判定する。スリープモードから復帰要因が、ＳＬＩＣ１０８によるオフフック検知であればＳ４０６からＳ４０７に進み、そうでなければＳ４０６からＳ４２３に進む。
【００４１】
Ｓ４０７でＤＳＰ３０２は、ＩＯポート制御部３０１経由で電源制御回路１１６へ起動信号を送出する。これにより電源制御回路１１６が非常夜電源１１４を制御して非常夜電源１１４をオンする。これによりＣＰＵ２０１を含むコントローラ１０２、モデム１０９、ブリッジ回路１０５及びその他動作が必要な回路への電力供給がオンされる。そしてＣＰＵ２０１は、制御プログラムをＲＯＭ２０２或いはＨＤＤ２１７から読み込んでＲＡＭ２０３に展開し、そのプログラムを実行して起動処理を開始してＳ４０８へ移行する。
【００４２】
Ｓ４０８でＤＳＰ３０２は、例えば４００Ｈｚのダイヤルトーン音を電話機１１２へ送出してＳ４０９に進む。Ｓ４０９でＤＳＰ３０２は、ＣＰＵ２０１の起動処理が完了したかどうか判定する。ＣＰＵ２０１が起動処理を完了したかどうかは、ＳＬＩＣ１０８が単独で動作するモードに移行したことを示す前述のレジスタの値を読み取る。そして、その値が、ＳＬＩＣ１０８が単独で動作するモードに入っていることを示している場合に、そのレジスタの値が読み取られるとＣＰＵ２０１の起動処理が完了したと判定してＳ４１５（図５）へ移行する。尚、ＣＰＵ２０１の起動処理が完了したかどうかの判定は、別途ＳＬＩＣ１０８のＲＡＭ３０４か、ＤＳＰ３０２にＣＰＵ起動済みレジスタを設けて、ＣＰＵ２０１が、そのレジスタへアクセスしたときにＣＰＵ２０１の起動処理が完了したと判定しても良い。例えばＣＰＵ２０１が起動済みを示すレジスタの値は、「１」がＣＰＵ２０１が起動済み、「０」は起動済みでないとし、この値は、ＳＬＩＣ１０８が単独で動作するモードに移行すると「０」にクリアされる。一方、Ｓ４０９でＣＰＵ２０１の起動処理が完了していなければＳ４１０へ移行する。
【００４３】
Ｓ４１０でＤＳＰ３０２が、電話機１１２からのＤＴＭＦやダイヤルパルス等のダイヤル信号を検知したかを判定する。ここで検知したと判定するとＳ４１１へ進み、そうでないときはＳ４０９へ戻る。Ｓ４１１でＤＳＰ３０２は、ＤＳＰ３０２から電話機１１２へ送出していたダイヤルトーン音を停止する。これは電話機１１２を利用しているユーザへ最初に１桁目のダイヤル信号を検知したことを通知するためである。そして検知したダイヤル信号をＳＬＩＣ１０８のダイヤルバッファに保持する。このダイヤルバッファは、ＳＬＩＣ１０８のＤＳＰ３０２が利用できるレジスタやＲＡＭ３０４のメモリ領域に設けられる。例えばＤＴＭＦで「０」を検知するとダイヤルバッファに「０」を保持する。そしてＳ４１２へ進む。
【００４４】
Ｓ４１２でＤＳＰ３０２は、ＣＰＵ２０１の起動処理が完了したかを判定する。この判定の方法は、前述のＳ４０９と同様である。ここでＣＰＵ２０１の起動処理が完了したと判定するとＳ４１５（図５）へ移行する。Ｓ４１２でＣＰＵ２０１の起動処理が完了していないと判定するとＳ４１３へ進み、ＤＳＰ３０２が、電話機１１２からのＤＴＭＦやダイヤルパルス等のダイヤル信号を検知したかを判定する。これらの信号を検知するとＳ４１４に進むが、そうでないときはＳ４１２に戻る。
【００４５】
Ｓ４１４では、ＤＳＰ３０２が検知したダイヤル信号をＳＬＩＣ１０８内のダイヤルバッファに追加保持する。例えばＳ４１１でダイヤルバッファに「０」が記憶されている状態でＳ４１４でＤＴＭＦによる「３」を検知するとダイヤルバッファに「３」を追加保持し、ダイヤルバッファには「０３」が入っている状態となる。そしてＳ４１２へ移行する。
【００４６】
またＳ４０６でスリープモードから復帰要因がＳＬＩＣ１０８によるオフフック検知でなければＳ４２３に進む。これはＳＬＩＣ１０８のオフフック検知以外でのスリープモードからの復帰要因の場合である。ネットワークＩ／Ｆ制御部１２３による印刷ジョブの受信、Ｔ．３８のＦＡＸ受信、見做し音声のＧ３ＦＡＸの受信、ＩＰ電話の着信やＵＩ１２６でキー操作等のスリープモードからの復帰要因を検知すると、電源制御回路１１６へ起動信号を送出する。これにより電源制御回路１１６が非常夜電源１１４を制御して、非常夜電源１１４がオンし、ＣＰＵ２０１を含むコントローラ１０２及びその他動作が必要なユニットへの電力供給が開始される。これによりＣＰＵ２０１は、制御プログラムをＲＯＭ２０２或いはＨＤＤ２１７から読み込んでＲＡＭ２０３に展開し、それを実行して起動処理を開始する。そしてスリープモードから復帰し、スリープモードからの復帰要因を判別して適切な処理を行う。その際ＣＰＵ２０１は、ＳＬＩＣ１０８の単独動作モードを解除して初期化する。このときＣＰＵ２０１は、ＳＬＩＣ１０８が単独で動作するモードに移行したことを示すレジスタの値を「０」に戻し、ＳＬＩＣ１０８がＣＰＵ２０１から制御されて動作する値にする。そしてＳＬＩＣ１０８へリセット信号を発行して解除し、各種レジスタ設定を初期化する。またＳＬＩＣ１０８が利用するクロックをブリッジ回路１０５或いはモデム１０９が出力するクロックに切り替える。これにより、これ以後はＣＰＵ２０１がＳＬＩＣ１０８を制御して電話機１１２の制御を行う。ＳＬＩＣ１０８のオフフック検知以外のスリープ復帰の処理については、本実施形態の重要部分ではないので記載を省略する。そして、この処理を終了して通常の待機状態へ移行する。
【００４７】
次に図５に進みＳ４１５でＣＰＵ２０１は、ダイヤル中止指示があったか否かを判定する。ここではＣＰＵ２０１が起動して装置全体の制御を行っているので、ＵＩ１２６の操作入力を検知することができる。例えば、ＵＩ１２６からタッチパネルやキー操作によりユーザがダイヤル中止指示を行うとＣＰＵ２０１の処理はＳ４１６へ移行する。またユーザが電話機１１２をオンフックし、ＳＬＩＣ１０８が電話機１１２のオンフックを検出してもダイヤル中止指示を行ったと判断する。また電話機１１２が直流捕捉をやめ、直流電流が閾値以下となるか、或いはオフフック検知用のオフフック電圧が閾値以上になるとＤＳＰ３０２は電話機１１２がオフフックされたと判断する。ＣＰＵ２０１はＳＬＩＣ１０８へ電話機１１２のオンフック状態を問い合わせることで、このダイヤル中止指示があったかどうか検知できる。ダイヤル中止指示がなければＳ４１７へ移行する。
【００４８】
Ｓ４１６でＣＰＵ２０１は、ＳＬＩＣの単独動作モードを解除して初期化する。即ち、ＣＰＵ２０１は、ＳＬＩＣ１０８が単独で動作するモードに移行したことを示すレジスタの値を「０」に戻し、ＳＬＩＣ１０８がＣＰＵ２０１からの制御に従って動作するようにする。このときＳＬＩＣ１０８へリセット信号を発行して、各種レジスタ設定を初期化する。またＳＬＩＣ１０８が利用するクロックを、ブリッジ回路１０５或いはモデム１０９が出力するクロックに切り替える。これにより、これ以後は、ＣＰＵ２０１がＳＬＩＣ１０８を制御して電話機１１２の制御を行う。ここで、ユーザがダイヤル中止指示を確定するまで、いつダイヤル番号を入力しても、ＳＬＩＣ１０８がダイヤル信号を取り込めるようにする必要がある。そのためユーザがダイヤル中止指示を確定したと判定した後のＳ４１６でＳＬＩＣの単独動作モードを解除している。そして通常の待機状態に戻る。
【００４９】
一方、ダイヤル中止指示がなければＳ４１７でＣＰＵ２０１は、ユーザからダイヤル指示があったか否かを判定する。電話機１１２が最後にダイヤル信号を送出した後に閾値（例えば、１０秒）以上の時間間隔が空いて、次のダイヤル信号が来ない場合にユーザがダイヤル指示を行ったとみなす。或いはＵＩ１２６からダイヤル指示を行うことにしても良い。また或いは、通常、ダイヤル指示に使用しないダイヤル番号（例えば＊）もしくは特別な周波数を検出した場合、ユーザがダイヤル指示を行ったとみなしても良い。こうしてＳ４１７でダイヤル指示があったと判定するとＳ４２０へ移行し、ダイヤル指示がないと判定するＳ４１８へ移行する。
【００５０】
Ｓ４１８でＣＰＵ２０１は、ＤＳＰ３０２が電話機１１２からのＤＴＭＦやダイヤルパルス等のダイヤル信号を検知したかを判定する。検知したと判定したときはＳ４１９に進み、そうでないときはＳ４１５へ戻る。Ｓ４１９でＣＰＵ２０１は、ＤＳＰ３０２が検知したダイヤル信号をＳＬＩＣ１０８のダイヤルバッファに追加保持する。例えば、ダイヤルバッファに「０３０００００００」が入った状態で、ＤＴＭＦの「２」を検知すると、ダイヤルバッファに「２」を追加保持する。これにより、ダイヤルバッファには「０３０００００００２」が入っている状態となる。
【００５１】
またＳ４１７でダイヤル指示があったと判定するとＳ４２０に進みＣＰＵ２０１は、ＳＬＩＣ１０８のダイヤルバッファに保持した番号を読み取る。このときＳＬＩＣ１０８は保持した番号をＣＰＵ２０１へ伝送し、ＣＰＵ２０１は、その番号をコントローラ１０２のダイヤルバッファに保持してＳ４２１に進む。尚、コントローラ１０２のダイヤルバッファはＲＡＭ２０３を使用する。Ｓ４２１でＣＰＵ２０１は、ＳＬＩＣ１０８の単独動作モードを解除して初期化する。これにより以後はＣＰＵ２０１がＳＬＩＣ１０８を制御して電話機１１２の制御を行う。Ｓ４２１の処理は前述のＳ４１６の処理と同様である。ここではユーザがダイヤル指示を確定するまで、いつダイヤル番号を入力しても、ＳＬＩＣ１０８がダイヤル信号を取り込めるようにする必要がある。そのためユーザがダイヤル指示を確定したことが判明した後のＳ４２１でＳＬＩＣ１０８の単独動作モードを解除している。次にＳ４２２に進みＣＰＵ２０１は、コントローラ１０２のダイヤルバッファに保持した番号を用いてＩＰ網１１１へ発呼する。そして通話が終了すると、終了処理を行って、この処理を終了する。
【００５２】
以上説明したように実施形態１によれば、スリープモード（省エネモード）のときに消費電流を少なくして消費電力の規格を満足させるために、ＣＰＵ２０１への電力供給をオフして、ＳＬＩＣ１０８が単独で動作するモードを設ける。これにより、スリープモードでも電話機１１２のオフフックを検知できる。また電話機１１２のオフフックを検知した後に、ＣＰＵ２０１が起動中のためにＳＬＩＣ１０８を制御していなくても、ＳＬＩＣ１０８が単独でダイヤル信号を検知し、ユーザが入力したダイアル番号をＳＬＩＣ１０８のダイヤルバッファに保持できる。そしてＣＰＵ２０１が起動した後でも、ユーザがダイヤル指示を行うまでＳＬＩＣ１０８が単独でダイヤル信号を検知する。そしてユーザがダイヤル指示を行った後で、ＣＰＵ２０１がＳＬＩＣ１０８に保持されているダイヤル番号を読取って発呼できるため、ダイヤル信号の取りこぼしが発生しない。そしてＣＰＵ２０１がＩＰ網へ発呼する前にＳＬＩＣ１０８を初期化するので、ＳＬＩＣ１０８に接続された電話機１１２によるＩＰ電話での通話が可能になる。
【００５３】
［実施形態２］
次に本発明の実施形態２について説明する。実施形態２では、実施形態１に係る電話機１１２に代えて、テンキーなしの電話機（ハンドセット）、或いはテンキー付の電話機（子電話）が接続された場合の、スリープモードへの移行とスリープモードからの復帰を説明する。
【００５４】
図６及び図７は、実施形態２に係る画像通信装置１００のハードウェア構成を示すブロック図である。尚、図６及び図７では、前述の実施形態１に係る図１と共通する部分は同じ記号で示し、それらの説明を省略する。またコントローラ１０２、ＳＬＩＣ１０８の構成も前述の実施形態１と同様であるため、それらの説明も省略する。
【００５５】
図６では、実施形態１に係る図１のブロック図に対してオフフック検知回路６１１、切替回路６１０が追加され、電話機６１２はテンキーなしの電話機となっている。また図７では、実施形態１に係る図１のブロック図に対してオフフック検知回路６１１、切替回路６１０が追加され、電話機はテンキー付の電話機（子電話）７１２となっている。
【００５６】
スリープモードで電話機６１２のオフフック検知をＳＬＩＣ１０８で行うか、オフフック検知回路６１１で行うかを、切替回路６１０の接続を切り替えることにより選択できる。この切替回路６１０の接続は、ＣＰＵ２０１が、コントローラ１０２のＩＯポート制御部２１０を介して切替回路６１０を制御して切り替えることができる。切替回路６１０としては、例えばメカニカルリレーを使用することができる。切替回路６１０によって、電話機６１２，７１２との接続をオフフック検知回路６１１に切替える。オフフック検知回路６１１への電力は常夜電源１１３より供給されている。
【００５７】
これによりＳＬＩＣ１０８への電力供給を停止しても電話機６１２のオフフック検知が可能となるため、スリープモードでの電話制御系の消費電力を、前述の実施形態１の場合よりもさらに少なくできる。但し、スリープモードでの電話機能は、オフフック検知のみである。オフフック検知回路６１１でオフフックを検知すると、ＣＰＵ２０１及びＳＬＩＣ１０８を起動させ、切替回路６１０によって電話機６１２，７１２をＳＬＩＣ１０８へ接続して、電話機としての機能を実行できる。また通常の待機状態では、電話機の機能を働かせるので、切替回路６１０によって電話機６１２，７１２をＳＬＩＣ１０８へ接続する。
【００５８】
スリープモードで、電話機６１２，７１２のオフフック検知をＳＬＩＣ１０８で行うよう切替回路６１０の接続を切り替えると、図７に示す矢印７００の経路で電話機７１２にオフフック検知用の電圧が供給される。またスリープモード中に、電話機６１２のオフフック検知をオフフック検知回路６１１で行うよう切替回路６１０の接続を切り替えると、図６に示す矢印６１３の経路で電話機６１２にオフフック検知用の電圧が供給される。
【００５９】
図８は、実施形態２に係る画像通信装置１００における電話機関連の初期設定を説明するフローチャートである。
【００６０】
画像通信装置１００がユーザが使用する場所に設置され、最初に画像通信装置１００に電源が投入されるとユーザ或いはサービスマンが電話機関連の初期設定を行う。この処理は、ＣＰＵ２０１がプログラムをＲＯＭ２０２或いはＨＤＤ２１７から読み込んでＲＡＭ２０３に展開し、そのプログラムを実行することにより実現される。この処理が開始するとＣＰＵ２０１は、電話機関連の初期設定値をＨＤＤ２１７から読み取る。ここで電話機の初期設定がされていないときは初期設定を実施する。
【００６１】
まずＳ８０１でＣＰＵ２０１は、ユーザ或いはサービスマンが、画像通信装置１００のＵＩ１２６を介して電話機ポートに何が装着されているかの設定を受け付ける。例えば、ＵＩ１２６の表示部に「電話機を接続しますか？  はい／いいえ」と表示し、ユーザがＵＩ１２６を介して「はい」を選択すると、更に、「テンキー無し電話機（ハンドセット）を接続しますか？  はい／いいえ」を表示する。ここでユーザが「いいえ」を選択すると、更に「テンキー付き電話機（子電話）を接続しますか？  はい／いいえ」と表示し、ユーザが「はい」を選択すると、「ダイヤル方式を選択して下さい。  トーン／パルス１０ＰＰＳ／パルス２０ＰＰＳ／自動識別」と表示し、ＤＴＭＦかパルスダイヤルの１０ＰＰＳかパルスダイヤルの２０ＰＰＳかを選択するようにもできる。ここでユーザが自動識別を選択すると、「１１７を電話機でダイヤルして下さい」と表示し、ユーザ或いはサービスマンは、電話機のテンキーを操作して電話番号「１１７」を入力する。このときユーザは、ＳＬＩＣ１０８のＤＳＰ３０２がＤＴＭＦかパルスダイヤルの１０ＰＰＳか、パルスダイヤルの２０ＰＰＳかを識別した結果を用いて設定する。自動識別では、表示部に表示した電話番号と電話機から入力された番号とが一致した場合、ＩＰ網１１１へ発呼するようにしても良い。
【００６２】
このように電話機ポートにテンキー無し電話機（ハンドセット）６１２、テンキー付き電話機（子電話）７１２、或いは電話機を接続しない事をユーザ或いはサービスマンが設定する。また或いはＵＩ１２６を使用せず、ネットワーク１１０を経由して、別のコンピュータから設定情報を入力するようにしても良い。また上記設定はいつでもユーザ又はサービスマンが設定変更することができる。そしてＳ８０２に移行する。
【００６３】
Ｓ８０２でＣＰＵ２０１は、Ｓ８０１の設定を基に、電話機ポートに何が装着されているかの設定を、コントローラ１０２のＨＤＤ２１７に保持する。例えばテンキー無し電話機６１２であれば「１」、テンキー付きの電話機７１２であれば「２」、電話機を接続しない場合は「９」、初期設定をしていないときは「０」、何が接続されているか不明の場合も「０」を保持する。また或いは、ネットワーク１１０に接続されたＰＣ内の記憶装置（ＨＤＤ２１７）にその情報を保持して、その保持された情報を読み出して利用するようにしても良い。こうして電話機関連の初期設定を終了する。
【００６４】
図９及び図１０は、実施形態２に係る画像通信装置１００において、スリープモードに移行したときのオフフック検出処理をいずれで行うかを選択する初期設定処理を説明するフローチャートである。
【００６５】
この処理は、スリープモードでオフフックを検出するための初期設定が開始されることにより開始され、図９の場合は、先ずＳ９０１でＣＰＵ２０１は、ＨＤＤ２１７に保持している電話機ポートに何が装着されているかの設定値を読み取る。そのその設定値に基づいて、テンキー無し電話機７１２が接続されているかどうかを判定する。例えば設定値が「１」であれば、テンキー無し電話機６１２が接続されているかと判定される。テンキー無し電話機７１２が接続されているとＳ９０３に進み、そうでなければＳ９０２に移行する。この場合は、テンキー無し電話機６１２が接続されているため、スリープモードから復帰した後、直ぐに電話機からダイヤル信号が送出されることはない。そこでＳＬＩＣ１０８で電話機のオフフック監視やオフフック検知した後、直ぐにダイヤル信号を検出する必要がないためＳＬＩＣ１０８の電源をオフできる。従って、この場合はＣＰＵ２０１は、切替回路６１０によって、電話機６１２の接続をオフフック検知回路６１１に切替える。このときオフフック検知回路６１１の電力は、高効率、低消費電力の常夜電源１１３から供給される。これにより、スリープモードでの消費電力を、前述の実施形態１の場合よりも更に少なくできる。
【００６６】
Ｓ９０２でＣＰＵ２０１は、テンキー付き電話機７１２が接続されているため、ユーザが電話機７１２をオフフックした後で、テンキーを押下しダイヤル信号を送出するまでの時間が短い可能性がある。そのためダイヤル信号の検出をすぐに行う必要がある。そこでスリープモードに移行したときにＳＬＩＣ１０８が電話機７１２のオフフックを監視してオフフックを検出する処理が行われる。
【００６７】
これ以降は、Ｓ９０２或いはＳ９０３で決定された処理に基づき、スリープモードでのオフフック検知をＳＬＩＣ１０８或いはオフフック検知回路６１１で行うことになる。
【００６８】
また図１０では、先ずＳ１００１でＣＰＵ２０１は、ＨＤＤ２１７に保持している電話機ポートに何が装着されているかの設定値を読み取る。例えば設定値が「２」であれば、テンキー付き電話機７１２が接続されているかと判定される。テンキー付き電話機７１２が接続されているとＳ１００２に進み、そうでなければＳ１００３に移行する。Ｓ１００２でＣＰＵ２０１は、テンキー付き電話機７１２が接続されているため、ユーザが電話機７１２をオフフックした後で、テンキーを押下しダイヤル信号を送出するまでの時間が短い可能性がある。そのためダイヤル信号の検出をすぐに行う必要がある。そこでスリープモードに移行したときにＳＬＩＣ１０８が電話機７１２のオフフックを監視してオフフックを検出する処理が行われる。ＨＤＤ２１７やＲＡＭ２０３に、スリープモードに移行したときの処理フローを選択する設定値を設けて保存し、実際にスリープモードに移行するときに、この設定値を参照する事で、前述の図４、図５に示す処理フローを選択して実行できる。例えば、スリープモードに移行するときの処理フローを選択する設定値として「２」を保存する。そしてこの処理を終了する。
【００６９】
またＳ１００３は、ＣＰＵ２０が電話機ポートにテンキー無し電話機６１２が接続されているか、或いは電話機が接続されていないと判定した場合である。この場合は、テンキー無し電話機６１２が接続されているか、電話機が接続されていないため、スリープモードから復帰した後、直ぐに電話機からダイヤル信号が送出されることはない。そこでＳＬＩＣ１０８で電話機のオフフック監視やオフフック検知した後、直ぐにダイヤル信号を検出する必要がないためＳＬＩＣ１０８の電源をオフできる。従って、この場合はＣＰＵ２０１は、切替回路６１０によって、電話機６１２の接続をオフフック検知回路６１１に切替える。このときオフフック検知回路６１１の電力は、高効率、低消費電力の常夜電源１１３から供給される。これにより、スリープモードでの消費電力を、前述の実施形態１の場合よりも更に少なくできる。
【００７０】
そして実際にスリープモードに移行するときに、上述の処理フローを選択する設定値を参照する事で、例えば図１１に示す処理フローを選択して実行することができる。例えば、図１１に示すスリープモードへの移行時の処理フローを選択する設定値として「１」を保存して、この処理を終了する。
【００７１】
これ以降は、Ｓ１００２或いはＳ１００３で決定された処理に基づき、スリープモードでのオフフック検知をＳＬＩＣ１０８或いはオフフック検知回路６１１で行うことになる。
【００７２】
次に画像通信装置１００の起動が完了して待機状態にあり、ユーザが任意の操作をできる状態にあるとする。スリープモードに移行する条件が整った時にＨＤＤ２１７やＲＡＭ２０３に保存されているスリープモードに移行時の処理フローを選択する設定値を読み取って処理分岐する点が前述の実施形態１と異なる。
【００７３】
即ち、スリープモードに移行する時に、ＳＬＩＣ１０８で電話機のオフフックを監視すると決定していた場合は、前述の実施形態１で説明した図４、図５のフローチャートに従って、スリープモードへの移行処理が実施される。一方、オフフック検知回路６１１で電話機のオフフックを監視すると決定していた場合は、実施形態２に係る図１１のフローチャートに従ってスリープモードへの移行処理が実施される。図４と図５のフローチャートの説明は上述の通りであるため、次に図１１に示すフローチャートを説明する。
【００７４】
図１１は、本発明の実施形態２に係る画像通信装置１００によるスリープモードへの移行、及びスリープモードから起動するときの処理を説明するフローチャートである。このフローチャートで示す処理は、ＣＰＵ２０１がＲＯＭ２０２或いはＨＤＤ２１７からプログラムを読み出してみＲＡＭ２０３に展開し、そのプログラムを実行することにより達成される。
【００７５】
最初、画像通信装置１００が電源投入後の待機状態にあり、図１０のＳ１００３で決定されたように、スリープモードではオフフック検知回路６１１で電話機のオフフック検知をするように決定された状態である。Ｓ１１０１でＣＰＵ２０１は、スリープモードへの移行条件が整ったかを判定する。ここで、ユーザからのコピー指示やネットワークＩ／Ｆ制御部１２３からのプリント指示、通話着信、Ｔ．３８のＦＡＸ着信が一定時間無い場合はスリープモードへの移行条件が整ったと判定してＳ１１０２へ移行する。尚、時間の計時には、ＵＩ制御部２１１のＲＴＣ（不図示）やＣＰＵ２０１等の動作クロックを利用して計時する。Ｓ１１０２でＣＰＵ２０１は、切替回路６１０をオフフック検知回路６１１側に切り替えて、オフフック検知回路６１１でオフフックの検知を行うようにしてＳ１１０３に進む。ここで常夜電源１１３、オフフック検知回路６１１は高効率、低消費電力の回路で構成されている。
【００７６】
Ｓ１１０３でＣＰＵ２０１は、スリープモードに移行するため、スリープモードから復帰する復帰要因を監視する回路以外を停止する処理を行う。その後、スリープモードから復帰する復帰要因を監視する回路以外への電力供給を停止するよう電源制御回路１１６を制御する。これにより電源制御回路１１６は、非常夜電源１１４が供給する非常夜電源の一部をオフにする。こうしてスリープモードでは、電源をオフしたい回路、例えばＣＰＵ２０１を含むコントローラ１０２、モデム１０９、ブリッジ回路１０５、スキャナ１２４、プリンタ１２５、ＵＩ１２６の表示部のバックライトへの電力供給を停止する。更にＤＳＰ３０２を含むＳＬＩＣ１０８、ＤＣ／ＤＣコンバータ３１５への電力供給を停止する。またスリープモードから復帰する復帰要因を監視する回路、例えばＵＩ制御部２１１の一部、ネットワークＩ／Ｆ制御部１２３、オフフック検知回路６１１への電力供給を維持するよう非常夜電源１１４及び常夜電源１１３を制御する。また切替回路６１０への電力供給を停止すると電話機がオフフック検知回路６１１と接続されるよう構成すれば、更に消費電力の低減が可能である。こうしてＣＰＵ２０１，ＳＬＩＣ１０８への電力供給が停止された状態となる。こうしてスリープモードに移行するとＳ１１０４に移行する。
【００７７】
スリープモードでは、スリープモードから復帰する復帰要因を監視する回路が監視しており、スリープモードからの復帰要因を検知するとＳ１１０５に進み、そうでなければＳ１１０４に戻る。ここで、オフフック検知回路６１１は電話機のオフフックを監視している。またネットワークＩ／Ｆ制御部３０４で印刷ジョブの受信、Ｔ．３８のＦＡＸ受信、見做し音声のＧ３ＦＡＸの受信、ＩＰ電話の着信、ＵＩ１２６によるスリープモードから復帰させるキー操作等の復帰要因を監視している。
【００７８】
Ｓ１１０５で、スリープモードで電話機がオフフックされると電話機が直流を捕捉する。これにより閾値以上の直流電流が流れるか、或いはオフフック検知用のオフフック電圧が閾値以下に低下したことをオフフック検知回路６１１が検知して、電話機がオフフックされたと判定するとＳ１１０６に進む。一方Ｓ１１０５で、オフフック検知回路６１１が電話機のオフフックを検知しないときはＳ１１１４に進む。
【００７９】
Ｓ１１０６でオフフック検知回路６１１は、電源制御回路１１６へ起動信号を送出する。これにより電源制御回路１１６が非常夜電源１１４をオンにする。これによりＣＰＵ２０１を含むコントローラ１０２、モデム１０９、ブリッジ回路１０５、ＳＬＩＣ１０８とＤＣ／ＤＣコンバータ３１５の非常夜電源がオンされる。こうしてＣＰＵ２０１は、画像通信装置１００の制御プログラムをＲＯＭ２０２或いはＨＤＤ２１７から読み込んでＲＡＭ２０３に展開し、それを実行して起動処理を開始する。この起動処理には５秒程度かかる。そしてＳ１１０７へ移行する。Ｓ１１０７でＣＰＵ２０１は、起動処理が完了したかどうかを判定し、起動処理が完了するとＳ１１０８へ移行し、そうでないときはＳ１１０７を実行する。ここでは起動処理が完了するまでの間、ユーザにオフフック検知で起動していることを示すために、ＵＩ１２６に設けたＬＥＤを点滅させても良い。また常夜電源１１３とオフフック検知回路６１１とＵＩ１２６を接続し、オフフック検知回路６１１に流れた電流でＬＥＤ点滅回路を駆動しても良い。
【００８０】
Ｓ１１０８でＣＰＵ２０１は、ＳＬＩＣ１０８を初期化した後、ＣＰＵ２０１がＳＬＩＣ１０８を制御する状態に移行する。ここでＳＬＩＣ１０８は、電話機の制御を全て行うことができる状態となる。そしてＳ１１０９へ進みＣＰＵ２０１は、切替回路６１０を電話機とＳＬＩＣ１０８とが接続されるよう切り替える。これにより電話機１１２へ直流電圧が印加され、電話機１１２を持ち上げているので、直ぐにＤＳＰ３０２でオフフックが検知され、電話機へダイヤルトーン音が送出される。そしてＳ１１１０へ進みＣＰＵ２０１は、画像通信装置１００のＵＩ１２６の表示部にダイヤル待ち表示を行い、ＵＩ１２６のタッチパネルやテンキーで番号入力を受け付けると。それを保持する。ここではテンキー無し電話機（ハンドセット）６１２が接続されているので、電話機６１２からＤＴＭＦやダイヤルパルスが送出されることは無い。或いは電話機６１２を装着していないときはスリープモードから復帰した後、直ぐに電話機６１２からダイヤル信号が送出されることはないと考えられる。次にＳ１１１１に進みＣＰＵ２０１は、ダイヤル中止指示があったかを判定する。ここではＣＰＵ２０１が起動して装置全体の制御を行っているので、ＵＩ１２６の操作入力を検知できる。例えば、ＵＩ１２６からタッチパネルやキー操作によりユーザがダイヤル中止指示を行うと、この処理を終了して通常の待機状態に戻る。
【００８１】
またユーザが電話機６１２をオンフックし、ＳＬＩＣ１０８が電話機６１２のオンフックを検出してもダイヤル中止指示を行ったと判定する。ダイヤル中止指示がなければＳ１１１２へ移行する。Ｓ１１１２でＣＰＵ２０１は、ユーザからダイヤル指示があったかどうかを判定する。ユーザがＵＩ１２６からダイヤル指示を行うとＳ１１１３へ移行し、ダイヤル指示がなかった場合はＳ１１１０へ戻る。Ｓ１１１３でＣＰＵ２０１は、画像通信装置１００のＵＩ１２６を介して入力された番号を、コントローラ１０２のダイヤルバッファに保持し、それを用いてＩＰ網１０３へ発呼する。そして通話が終了すると、この処理を終了する。
【００８２】
またＳ１１０５で電話機６１２がオフフックされたことをオフフック検知回路６１１が検知しなかったときはＳ１１１４に進む。Ｓ１１１４で、ネットワークＩ／Ｆ制御部３０４で印刷ジョブの受信、Ｔ．３８のＦＡＸ受信、見做し音声のＧ３ＦＡＸの受信、ＩＰ電話の着信、ＵＩ１２６での復帰要因となるキー操作を検知すると電源制御回路１１６へ起動信号を送出する。これにより電源制御回路１１６が非常夜電源１１４を制御して非常夜電源がオンして、ＣＰＵ２０１を含むコントローラ１０２及びその他動作が必要なユニットへの電力供給が開始される。これによりＣＰＵ２０１は、プログラムをＲＯＭ２０２やＨＤＤ２１７から読み込んでＲＡＭ２０３に展開し、それを実行し起動処理を開始する。そしてスリープモードから復帰する復帰要因を判別して適切な処理を行う。その際、ＣＰＵ２０１はＳＬＩＣ１０８の初期化を行った後、ＣＰＵ２０１がＳＬＩＣ１０８を制御して電話機６１２の制御処理を行う。そしてＣＰＵ２０１は切替回路６１０により、電話機６１２とＳＬＩＣ１０８とが接続されるよう切り替える。こうして電話機６１２へ直流電圧が印加され、ＳＬＩＣ１０８のＤＳＰ３０２でオフフック検知を行えるようになる。これ以後、ＳＬＩＣ１０８のオフフック検知以外のスリープモードからの復帰処理については、本実施形態の重要部分ではないので、その説明を省略する。そして、この処理を終了して、通常の待機状態へ移行する。
【００８３】
このように従来は、スリープモード中にＣＰＵ２０１への電力供給を停止し、電話機をスリープモードでも使用可能な状態するためＳＬＩＣ１０８を単独で動作するモードにして、ＳＬＩＣ１０８でオフフック監視をしていた。これに対して実施形態２では、テンキー無しの電話（ハンドセット）が接続されているときは、電話機のオフフックを検知してスリープモードから復帰した後、ＵＩ表示及びテンキー等での相手先番号入力が必要となる。そこで、ＣＰＵ２０１が起動するまでユーザを待たせることができる点に着目している。そして、テンキー無しの電話機が接続されている場合は、切替回路６１０により電話機とオフフック検知回路６１１とを接続して、オフフック検知回路６１１で電話機のオフフックを検知する。ここで常夜電源１１３、オフフック検知回路６１１は、高効率、低消費電力の電源回路で構成されているため、スリープモードにおいて、更に消費電流を少なくできるという効果がある。
【００８４】
ここで、もしテンキー付きの電話機（子電話）７１２が接続されている場合は、スリープモードに移行して切替回路６１０により、電話機とオフフック検知回路６１１とを接続して、オフフック検知回路６１１で電話機のオフフック検知を行うとする。この場合、電話機のオフフックを検知してからＣＰＵ２０１が起動を完了するまで５秒程度かかる。アナログＦＡＸの子電話の場合は、オフフックして交換機に接続されるまで１秒以内程度で、これは５秒以内である。
【００８５】
そこで画像通信装置１００にテンキー付きの電話機７１２が接続されている場合は、電話機のオフフックを検知した直後に、ユーザがアナログＦＡＸの子電話と同じタイミングで子電話機のテンキーを押すことが想定される。このときはＳＬＩＣ１０８はまだＣＰＵにより制御されていないので、ユーザが子電話機のテンキーを操作して入力した電話番号を検知できずに取りこぼしてしまうことになる。これにより、ユーザの意図とは異なる電話番号がダイヤルバッファに格納されることになり、ユーザが意図した相手先に発呼することができない。このような事態を回避するために、テンキー付きの電話機７１２が接続された場合は、スリープモードへの移行時に、電話機７１２のオフフック検知をＳＬＩＣ１０８で行うよう切替回路６１０により接続を切り替えて、前述の実施形態１と同様の制御を行う。そしてＣＰＵ２０１がＩＰ網１１１へ発呼する前にＳＬＩＣ１０８を初期化するので、ＳＬＩＣ１０８に接続された電話機７１２でＩＰ電話の通話が問題なく行えることになる。
【００８６】
画像通信装置１００に、ハンドセットか子電話のいずれが接続されているかを、ユーザ或いはサービスマンが設定し、その設定を保持してスリープモードに移行するときに処理を切り替えることにより、ユーザの使用条件に応じて、更に消費電力を低減できる。
【００８７】
［実施形態３］
実施形態３では、図６或いは図７に示す画像通信装置１００の構成を用いる。
【００８８】
実施形態３と実施形態２の異なる点は図８に示す処理フローのみである。図８に示すフローチャートに従い、処理フローを説明する。実施形態３では、画像通信装置１００がユーザが使用する場所に設置され、最初に画像通信装置１００に電源投入されてもユーザ或いはサービスマンは電話機関連の初期設定を実施しない。
【００８９】
コントローラ１０２のＣＰＵ２０１が待機状態の時に、電話機１１２のオフフックを検知すると図８に示す電話機関連の初期設定する際の処理フローを開始する。
【００９０】
ここではＵＩ１２６の表示部にダイヤル番号の入力を促す表示を行う。そしてＳ８０２へ移行する。Ｓ８０１でオフフックを検出した後の一定時間内にダイヤル信号を検出できない場合、テンキーの無い電話機（ハンドセット）が接続されていると判定して、電話機ポートに接続されている電話機を設定する。一方、オフフックを検出した後の一定時間内にダイヤル信号を検出できた場合、テンキー付きの電話機（子電話）が接続されていると判定して、電話機ポートにに接続されている電話機を設定する。その際にＤＴＭＦかパルスダイヤルの１０ＰＰＳかパルスダイヤルの２０ＰＰＳかを判定する。そしてＳ８０２へ進み、Ｓ８０１の設定を基にして、電話機ポートに接続されている電話機の設定をコントローラ１０２のＨＤＤ２１７に保持する。そしてこの処理を終了する。その後ユーザから発呼指示があると、検知或いは入力された番号を用いてＩＰ網１１１へ発呼する。
【００９１】
この実施形態３によれば、電話機のオフフックを検知した後、所定時間内にダイヤル信号が検知できるかどうかで電話機ポートに接続されている電話機がテンキー付きの電話機か、どうでない電話機かを自動的に識別できる。この後の処理は前述の実施形態と同様であるため、その説明を省略する。
【００９２】
［実施形態４］
次に本発明の実施形態４を説明する。
【００９３】
この実施形態４と前述の実施形態との相違点は、図５のＳ４２２，図１１のＳ１１１３に示す処理のみである。
【００９４】
コントローラ１０２のダイヤルバッファに格納された電話番号が、国内での通常発呼に使用する番号桁数より少ない場合は、ガイダンスをＵＩ１２６の表示部に表示し、電話機１１２にもガイダンス音声を送出する。このガイダンスは、「検出した番号桁数が通常の発呼に使用する番号桁数より少ないです。電話機をいったん置いて、再入力して下さい。」という内容である。そしてＩＰ網１１１への発呼を中止する。それ以外の処理は同じである。
【００９５】
実施形態４によれば、電話機がオフフックされたときに検知したダイヤル信号の桁数が通常発呼に使用する番号桁数より少ない場合にガイダンスを出力して警告する。これにより、ユーザが意図した電話番号で発呼されないといった事態の発生を減らすことができ、ユーザの利便性が増すという効果がある。
【００９６】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００９７】
本発明は上記実施の形態に制限されるものではなく、本発明の精神及び範囲から離脱することなく、様々な変更及び変形が可能である。従って、本発明の範囲を公にするために、以下の請求項を添付する。
【図１】
2015167300.tif 000003
【図２】
2015167300.tif 000004
【図３】
2015167300.tif 000005
【図４】
2015167300.tif 000006
【図５】
2015167300.tif 000007
【図６】
2015167300.tif 000008
【図７】
2015167300.tif 000009
【図８】
2015167300.tif 000010
【図９】
2015167300.tif 000011
【図１０】
2015167300.tif 000012
【図１１】
2015167300.tif 000013